(57)【特許請求の範囲】
【請求項１】
電気機器に搭載され、蓄電池を備える蓄電装置であって、
外部の通信機器と近距離無線通信により通信する第１通信器と、
前記第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信すると、前記第１通信器に、前記第１情報及び前記第２情報の少なくとも一つを含む応答情報を前記要求信号の送信元に送信させ、前記要求信号を他の蓄電装置に対して送信させる制御器と
を備え、
前記制御器は、所定時間未満の間隔をあけて、２個の要求信号を受信する場合、最初の要求信号が有効とみなして、処理を行い、後の要求信号は誤りであるとして、破棄し、
前記制御器は、他の蓄電装置から受信した第１応答情報を記憶しており、
前記第１通信器は、他の蓄電装置から第２応答情報を受信し、
前記第１応答情報及び前記第２応答情報は、それぞれ、生成した他の蓄電装置を識別する蓄電装置識別子及び生成された日時を示す日時情報を含み、
前記制御器は、記憶している前記第１応答情報に含まれる蓄電装置識別子及び日時情報と、受信した前記第２応答情報に含まれる蓄電装置識別子及び日時情報とを比較し、一致する場合、受信した前記第２応答情報を処理することなく、破棄する
蓄電装置。
【請求項２】
前記蓄電装置による前記電気機器に対する電力供給動作が正常か否かを検査する検査器を備え、
前記制御器は、前記第１情報を要求する要求信号を受信すると、前記検査器に前記電力供給動作が正常か否かを検査させ、前記検査器による検査の結果を用いて、前記第１情報を含む応答情報を生成する
請求項１記載の蓄電装置。
【請求項３】
前記制御器は、前記第２情報を要求する要求信号を受信すると、前記蓄電装置に設けられた検査器及び前記電気機器に設けられた検査器の少なくとも一つに前記蓄電装置から供給される電力を用いた前記電気機器の動作が正常か否かを検査させ、前記検査器による検査の結果を用いて、前記第２情報を含む応答情報を生成する
請求項１−２のいずれか１項記載の蓄電装置。
【請求項４】
前記第１通信器が前記他の蓄電装置から前記要求信号に基づいた当該他の蓄電装置の応答情報を受信すると、前記制御器は、さらに、前記第１通信器に前記他の蓄電装置の応答情報を前記要求信号の送信元に送信させる
請求項１−３のいずれか１項に記載の蓄電装置。
【請求項５】
前記第１通信器が前記他の蓄電装置から前記要求信号に基づいた前記他の蓄電装置の応答情報を受信すると、前記制御器は、前記他の蓄電装置の応答情報に含まれ、当該他の蓄電装置の前記第１情報及び前記第２情報の少なくとも一つを、自身の前記応答情報に付加する
請求項１−３のいずれか１項に記載の蓄電装置。
【請求項６】
前記外部の通信機器は、情報端末を含む
請求項１−５のいずれか１項に記載の蓄電装置。
【請求項７】
前記外部の通信機器は、前記要求信号の送信方向において、上流側に配置された他の蓄電装置を含む
請求項１−５のいずれか１項に記載の蓄電装置。
【請求項８】
前記電気機器と通信する第２通信器を備え、
前記第１通信器が前記外部の通信機器から、前記第１情報を要求する要求信号を受信すると、前記制御器は、前記第２通信器を介して前記電気機器に対して、前記第２情報を要求する要求信号を出力する
請求項１−７のいずれか１項に記載の蓄電装置。
【請求項９】
前記制御器は、前記第２通信器を介して受信した前記第２情報を前記応答情報に付加する
請求項８に記載の蓄電装置。
【請求項１０】
前記電気機器と通信する第２通信器を備え、
前記制御器は、
前記第１通信器が前記外部の通信機器から、前記第１情報を要求する前記要求信号を受信すると、さらに、
前記第２通信器を介して前記電気機器に対して、前記電力供給動作が正常か否かを検査させる指示を送信し、
前記電気機器における前記検査の結果を用いて生成した前記第１情報を、自身の前記応答情報に付加する
請求項１、３−９のいずれか１項に記載の蓄電装置。
【請求項１１】
電気機器に搭載され、蓄電池を備える蓄電装置の制御方法であって、
前記蓄電装置に設けられ、外部の通信機器と近距離無線通信により通信する第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信するステップと、
前記第１通信器に、前記第１情報及び前記第２情報の少なくとも一つを含む応答情報を前記要求信号の送信元に送信させ、前記要求信号を他の蓄電装置に対して送信させるステップと、
を含み、
さらに、所定時間未満の間隔をあけて、２個の要求信号を受信する場合、最初の要求信号が有効とみなして、処理を行い、後の要求信号は誤りであるとして、破棄するステップを含み、
前記蓄電装置は、他の蓄電装置から受信した第１応答情報を記憶し、
前記制御方法は、さらに、他の蓄電装置から第２応答情報を受信するステップを含み、
前記第１応答情報及び前記第２応答情報は、それぞれ、生成した他の蓄電装置を識別する蓄電装置識別子及び生成された日時を示す日時情報を含み、
前記制御方法は、さらに、記憶している前記第１応答情報に含まれる蓄電装置識別子及び日時情報と、受信した前記第２応答情報に含まれる蓄電装置識別子及び日時情報とを比較し、一致する場合、受信した前記第２応答情報を処理することなく、破棄するステップを含む、
制御方法。
【発明の詳細な説明】
【技術分野】
【０００１】
本開示は、電気機器に搭載され、当該電気機器に対して電力を供給するための蓄電装置に関し、特に、当該蓄電装置から前記電気機器に対する電力供給の状態を利用者に通知する技術に関する。
【背景技術】
【０００２】
蓄電装置は、電動アシスト自転車、電気自動車等の移動車両に搭載されて、電力を供給するために用いられる。また、蓄電装置は、太陽光発電器、燃料電池などの発電設備を効率的に運用するために用いられる。
特許文献１によると、蓄電装置は、複数の電池パックを組み込んで構成されている。各電池パックは、近距離無線通信により、他の電池パックからその残容量等を示す情報を受信し、さらに他の電池パックにその情報を送信する。このようして、当該蓄電装置において、複数の電池パックの残容量等を収集することができる。
【先行技術文献】
【特許文献】
【０００３】
【特許文献１】国際公開第２０１４／１５５９０３号
【発明の概要】
【発明が解決しようとする課題】
【０００４】
上述したように、特許文献１によると、複数の電池パックから構成される蓄電装置において、複数の電池パックの残容量等を収集することができるが、改善の余地があった。
上記事情に鑑み、限定的でない例示的なある実施形態は、電気機器に対する電力供給の状態を確認することができる蓄電装置を提供する。
【課題を解決するための手段】
【０００５】
本開示の一態様は、電気機器に搭載され、蓄電池を備える蓄電装置であって、外部の通信機器と近距離無線通信により通信する第１通信器と、前記第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信すると、前記第１通信器に、前記第１情報及び前記第２情報の少なくとも一つを含む応答情報を前記要求信号の送信元に送信させ、前記要求信号を他の蓄電装置に対して送信させる制御器とを備え、前記制御器は、所定時間未満の間隔をあけて、２個の要求信号を受信する場合、最初の要求信号が有効とみなして、処理を行い、後の要求信号は誤りであるとして、破棄する。
また、前記制御器は、他の蓄電装置から受信した第１応答情報を記憶しており、前記第１通信器は、他の蓄電装置から第２応答情報を受信し、前記第１応答情報及び前記第２応答情報は、それぞれ、生成した他の蓄電装置を識別する蓄電装置識別子及び生成された日時を示す日時情報を含み、前記制御器は、記憶している前記第１応答情報に含まれる蓄電装置識別子及び日時情報と、受信した前記第２応答情報に含まれる蓄電装置識別子及び日時情報とを比較し、一致する場合、受信した前記第２応答情報を処理することなく、破棄する。
【発明の効果】
【０００６】
本開示によれば、電気機器に搭載されている蓄電装置について、蓄電装置から電気機器への電力供給動作が正常か否かを確認することできる。
【図面の簡単な説明】
【０００７】
【図１】実施の形態１としての点検システム１０の構成を示すシステム構成図である。
【図２】情報端末３００の機能構成を示すブロック図である。
【図３】誘導灯１００及び蓄電装置２００の分解斜視図である。
【図４】誘導灯１００及び蓄電装置２００の機能構成を示すブロック図である。
【図５】応答情報２５１のデータ構造の一例を示す。
【図６】点検システム１０における動作を示すシーケンス図（その１）である。
【図７】点検システム１０における動作を示すシーケンス図（その２）である。
【図８】点検システム１０における動作を示すシーケンス図（その３）である。
【図９】実施の形態２としての点検システム２０の構成を示すシステム構成図である。
【図１０】街路灯５００及び蓄電装置２００の機能構成を示すブロック図である。
【図１１】変形例１の街路灯５００ｈ及び蓄電装置２００ｈの機能構成を示すブロック図である。
【図１２】変形例１における動作を示すシーケンス図である。
【図１３】変形例２の街路灯５００ｉ及び蓄電装置２００ｉの機能構成を示すブロック図である。
【図１４】変形例２における動作を示すシーケンス図（その１）である。
【図１５】変形例２における動作を示すシーケンス図（その２）である。
【図１６】変形例３の街路灯５００ｊ及び蓄電装置２００ｊの機能構成を示すブロック図である。
【図１７】変形例３における動作を示すシーケンス図である。
【図１８】変形例４における動作を示すシーケンス図である。
【図１９】変形例５の街路灯５００ｋ及び蓄電装置２００ｋの機能構成を示すブロック図である。
【図２０】補足説明としての動作試験条件表５５１を示す。
【図２１】補足説明としての動作確認試験の処理を示すフローチャートである。
【図２２】タッチパネル３０９に表示される画面の遷移を示す。
【発明を実施するための形態】
【０００８】
上記特許文献１記載の従来技術は、電気機器に搭載されていない複数の蓄電池パックの電圧、温度等の状態に関する情報を取得することができる。しかしながら、電気機器に搭載された蓄電池パックから電気機器への電力供給動作が正常か否かを確認することについては、考慮されていない。
そこで、本発明者は鋭意検討した結果、以下の内容に想到した。
【０００９】
すなわち、本開示の一態様は、電気機器に搭載され、蓄電池を備える蓄電装置であって、外部の通信機器と近距離無線通信により通信する第１通信器と、前記第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信すると、前記第１通信器に、前記第１情報及び前記第２情報の少なくとも一つを含む応答情報を前記要求信号の送信元に送信させ、前記要求信号を他の蓄電装置に対して送信させる制御器とを備える。
【００１０】
これにより、電気機器に搭載されている複数の蓄電装置について、蓄電装置から電気機器に対する電力供給の状態を確認することできる。
以下、本開示の一態様に係る蓄電装置、蓄電装置の制御方法および情報端末の制御方法について、図面を参照しながら具体的に説明する。
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００１１】
（実施の形態１）
本開示の実施の形態１としての点検システム１０について説明する。
図１は、点検システム１０の構成を示すシステム構成図である。
点検システム１０は、図１に示すように、誘導灯１００ａ、１００ｂ、１００ｃ、１００ｄ、・・・、情報端末３００及びサーバ装置４００を備える。
【００１２】
誘導灯１００ａ、１００ｂ、１００ｃ、１００ｄ、・・・、は、道路上に所定の間隔を置いて、この順序で一列に設置されている。
誘導灯１００ａには、蓄電装置２００ａが接続されている。誘導灯１００ａは、蓄電装置２００ａから供給される電力を用いて動作する。誘導灯１００ａは、蓄電装置２００ａから供給される電力を用いて動作する動作器１０３を含み、動作器１０３が動作することで電気機器（例えば、誘導灯）の主機能が実現される。動作器１０３は、一例として、照明器であり、ＬＥＤ（Light Emitting Diode）である。照明器は、蓄電装置２００ａから供給される電力により、発光する。誘導灯１００ｂ、１００ｃ、１００ｄ、・・・、も、誘導灯１００ａと同様に構成され、誘導灯１００ｂ、１００ｃ、１００ｄ、・・・、には、それぞれ、蓄電装置２００ｂ、２００ｃ、２００ｄ、・・・が接続されている。こうして、誘導灯１００ａ、１００ｂ、１００ｃ、１００ｄ、・・・、により、道路上が照らされているので、夜間であっても、歩行者は、安心して歩くことできる。誘導灯は、本開示の電気機器の一例である。
【００１３】
蓄電装置から各誘導灯への電力供給に異常が生じたり、誘導灯（例えば、誘導灯の動作器１０３）に故障が発生したりする可能性がある。そこで、点検システム１０の点検者は、次に示すようにして、点検する。
情報端末３００を保持する点検者は、情報端末３００と誘導灯１００ａの蓄電装置２００ａとの間で、近距離無線通信が可能な範囲内に立つ。点検者の操作により、情報端末３００は、近距離無線通信により、蓄電装置から誘導灯に対する電力供給動作が正常であるか否かに関する情報を要求する要求信号を送信する。
【００１４】
誘導灯１００ａの蓄電装置２００ａは、近距離無線通信により、情報端末３００から要求信号を受信すると、近距離無線通信により、同じ要求信号を送信する。次に、誘導灯１００ｂの蓄電装置２００ｂは、近距離無線通信により、誘導灯１００ａの蓄電装置２００ａから要求信号を受信すると、近距離無線通信により、同じ要求信号を送信する。次に、誘導灯１００ｃの蓄電装置２００ｃは、近距離無線通信により、誘導灯１００ｂの蓄電装置２００ｂから要求信号を受信すると、近距離無線通信により、同じ要求信号を送信する。
【００１５】
このように、情報端末３００を起点として、次々と隣接する誘導灯の蓄電装置に対して、同じ要求信号がリレー式に伝達される。
誘導灯１００ａの蓄電装置２００ａは、近距離無線通信により、情報端末３００から要求信号を受信すると、誘導灯１００ａにおける蓄電装置２００ａによる電力供給動作が正常か否かに関する情報を含む応答情報を生成する。次に、誘導灯１００ａの蓄電装置２００ａは、近距離無線通信により、生成した応答情報を送信する。情報端末３００は、近距離無線通信により、誘導灯１００ａの蓄電装置２００ａで生成された応答情報を受信する。
【００１６】
また、誘導灯１００ｂの蓄電装置２００ｂは、近距離無線通信により、誘導灯１００ａの蓄電装置２００ａから要求信号を受信すると、誘導灯１００ｂにおける蓄電装置２００ｂによる電力供給動作が正常か否かに関する情報を含む応答情報を生成する。次に、誘導灯１００ｂの蓄電装置２００ｂは、近距離無線通信により、生成した応答情報を送信する。誘導灯１００ａの蓄電装置２００ａは、近距離無線通信により、誘導灯１００ｂの蓄電装置２００ｂから応答情報を受信する。応答情報を受信すると、誘導灯１００ａの蓄電装置２００ａは、近距離無線通信により、誘導灯１００ｂの蓄電装置２００ｂから受信した応答情報を送信する。情報端末３００は、近距離無線通信により、誘導灯１００ａの蓄電装置２００ａを介して誘導灯１００ｂの蓄電装置２００ｂで生成された応答情報を受信する。
【００１７】
さらに、誘導灯１００ｃの蓄電装置２００ｃは、近距離無線通信により、誘導灯１００ｂの蓄電装置２００ｂから要求信号を受信すると、誘導灯１００ｃにおける蓄電装置２００ｃによる電力供給動作が正常か否かに関する情報を含む応答情報を生成する。次に、誘導灯１００ｃの蓄電装置２００ｃは、近距離無線通信により、生成した応答情報を送信する。誘導灯１００ｂの蓄電装置２００ｂは、近距離無線通信により、誘導灯１００ｃの蓄電装置２００ｃから応答情報を受信する。応答情報を受信すると、誘導灯１００ｂの蓄電装置２００ｂは、近距離無線通信により、誘導灯１００ｃの蓄電装置２００ｃから受信した応答情報を送信する。応答情報を受信すると、誘導灯１００ａの蓄電装置２００ａは、近距離無線通信により、誘導灯１００ｂの蓄電装置２００ｂから受信した応答情報を送信する。情報端末３００は、近距離無線通信により、誘導灯１００ａの蓄電装置２００ａを介して誘導灯１００ｃの蓄電装置２００ｃで生成された応答情報を受信する。
【００１８】
このようにして、各誘導灯が備える蓄電装置は、自身による電力供給動作が正常か否かに関する情報を含む応答情報を、直接、情報端末３００に対して、又は、情報端末３００との間に介在する誘導灯が備える蓄電装置を介して、情報端末３００に対して、伝達する。
情報端末３００は、誘導灯１００ａ、１００ｂ、１００ｃ、１００ｄ、・・・、それぞれの蓄電装置からの応答情報を収集する。収集した応答情報に基づき、情報端末３００の表示面に、各誘導灯における電力供給動作が正常か否かに関する情報が表示される。
【００１９】
情報端末３００とサーバ装置４００とは、一例として、携帯電話網及びインターネットを介して接続されている。
情報端末３００は、各誘導灯の蓄電装置から収集した応答情報を、制御器３０３の制御により携帯通信器３０１を介してサーバ装置４００に対して送信する。収集した応答情報をサーバ装置４００に送信するタイミングは、任意である。具体的には、情報端末３００の利用者からの指示がない状態で、制御器３０３の制御により応答情報の収集に伴いサーバ装置４００に送信してもよいし、収集した応答情報を定期的にサーバ装置に送信してもよい。また、情報端末３００の利用者からの指示を受けた後、制御器３０３の制御により収集した応答情報をサーバ装置４００に送信してもよい。
【００２０】
サーバ装置４００は、情報端末３００から、各誘導灯の蓄電装置により収集した応答情報を受信し、受信した応答情報を記憶する。なお、サーバ装置４００は、クラウドサーバ装置であるとしてもよい。ここで、クラウドサーバ装置は、インターネットなどのネットワークを介して、様々なサービスを利用者に提供するサーバ装置である。
なお、実施の形態１において、情報端末３００から誘導灯１００ａへ、誘導灯１００ａから誘導灯１００ｂへ、誘導灯１００ｂから誘導灯１００ｃへ、誘導灯１００ｃから誘導灯１００ｄへ向かう方向を、下流方向（又は、下流側）と呼ぶ。下流方向は、要求信号が伝達される方向である。一方、誘導灯１００ｄから誘導灯１００ｃへ、誘導灯１００ｃから誘導灯１００ｂへ、誘導灯１００ｂから誘導灯１００ａへ、誘導灯１００ａから情報端末３００から向かう方向を、上流方向（又は、上流側）と呼ぶ。上流方向は、応答情報が伝達される方向である。
【００２１】
情報端末３００は、利用者の操作に従って、近距離無線通信により、蓄電装置による誘導灯に対する電力供給動作が正常か否かに関する情報を要求する要求信号を送信する。また、情報端末３００は、近距離無線通信により、誘導灯における蓄電装置による電力供給動作が正常か否かに関する情報を含む応答情報を受信する。さらに、情報端末３００は、受信した応答情報に含まれる蓄電装置の電力供給動作が正常か否かに関する情報を表示面に表示する。
【００２２】
言い換えると、情報端末３００は、次に示すステップａ〜ｃによる制御方法に従って、動作する。
（ステップａ）蓄電装置に対して、当該蓄電装置による電気機器に対する電力供給動作が正常か否かに関する情報を要求する要求信号を送信させる。
（ステップｂ）要求信号に応じて、蓄電装置より電力供給動作が正常か否かに関する情報を含む応答情報を取得させる。当該応答情報は、当該蓄電装置によって送信される。
【００２３】
（ステップｃ）取得した応答情報に含まれる蓄電装置による電力供給動作が正常か否かに関する情報を情報端末３００の表示画面に表示させる。
ここで、応答情報は、複数の蓄電装置による電力供給動作が正常か否かに関する情報を含むとしてもよい。このとき、ステップ（ｃ）において、複数の蓄電装置による電力供給動作が正常か否かに関する情報を情報端末の一覧画面３４１に一覧表示させる。
【００２４】
図２は、情報端末３００の機能構成を示すブロック図である。
情報端末３００は、一例として、図２に示すように、携帯通信器３０１、近距離無線通信器３０２、制御器３０３、情報記憶器３０４、音声制御器３０５、入出力制御器３０６、スピーカ３０７、マイク３０８、タッチパネル３０９及びボタン入力器３１０を備える。
【００２５】
情報端末３００は、具体的には、マイクロプロセッサ、信号処理プロセッサ、ＲＯＭ、ＲＡＭなどを備えるコンピュータシステムである。ＲＡＭには、コンピュータプログラムが記憶されている。マイクロプロセッサ及び信号処理プロセッサは、コンピュータプログラムに従って動作する。これにより、携帯通信器３０１、近距離無線通信器３０２、制御器３０３、音声制御器３０５及び入出力制御器３０６は、その機能を達成する。
【００２６】
情報端末３００は、一例として、スマートフォンである。なお、情報端末３００は、タブレット、携帯電話機、パーソナルコンピュータ等であるとしてもよい。
情報記憶器３０４は、一例として、不揮発性の半導体メモリを備える。
情報記憶器３０４は、受信した１個又は複数個の応答情報を記憶するための領域を有している。
【００２７】
携帯通信器３０１は、例えば、ＣＤＭＡ（Code Division Multiple Access）２０００、ＬＴＥ（Long Term Evolution）等の規格に基づいて、移動体通信を実現する。
近距離無線通信器３０２は、一例として、ＩＥＥＥ８０２．１５．１（Bluetooth(登録商標)、ブルートゥース）の規格に基づいて、近距離無線による通信を行う。近距離無線通信器３０２から発信される信号には、指向性はなく、近距離無線通信器３０２の周囲に向けて放射される。なお、近距離無線通信器３０２は、ZigBeeにより規定される近距離無線通信規格に基づいて、近距離無線により通信を行うとしてもよい。
【００２８】
マイク３０８は、音波を受けて振動する振動板に伴って、磁界内でコイルが振動することにより、アナログ電気信号としての音声信号を生成する。
スピーカ３０７は、音声制御器３０５からアナログ電気信号としての音声信号を受け取り、受け取った音声信号に従って振動板を振動させて、音波を出力する。
音声制御器３０５は、符号化音声情報を復号し、アナログ電気信号に変換して、スピーカ３０７に対して出力する。また、音声制御器３０５は、マイク３０８から受け取った音声信号をデジタル電気信号に変換し、符号化した符号化音声情報を携帯通信器３０１に対して出力する。
【００２９】
タッチパネル３０９は、矩形の表示面を有する表示パネル器及び表示面に取り付けられたタッチパッド器を備える。表示パネル器は、一例として、液晶ディスプレイである。タッチパッド器は、タッチパネル３０９の操作面に対するユーザーの指等の操作体の接触を検出する。
タッチパネル３０９は、制御器３０３の制御により、入出力制御器３０６を介して、一例として、一覧画面３４１を表示する。一覧画面３４１は、図１に示すように、チェック領域３３１、一覧表３３２、メッセージ３３３及びメッセージ３３４を含んでいる。
【００３０】
チェック領域３３１は、利用者によるタッチ操作を受け付ける。チェック領域３３１に対するタッチ操作がされると、タッチパネル３０９は、入出力制御器３０６を介して、制御器３０３に対して、誘導灯１００ａ、１００ｂ、１００ｃ、１００ｄ、・・・、における蓄電装置の電力供給動作の状態の確認を開始するための確認開始指示を出力する。なお、上記確認には、蓄電装置による電力供給動作の状態の確認だけでなく蓄電装置から供給される電力を用いた誘導灯の動作の状態の確認を含んでもよい。上記確認開始指示は、本開示の要求信号の一例である。
【００３１】
一覧表３３２は、誘導灯１００ａ、１００ｂ、１００ｃ、１００ｄ、・・・、の各々について、蓄電装置による電力供給動作が正常であるか否かを示す。上記確認が蓄電装置による電力供給動作の状態の確認だけでなく、誘導灯の動作の状態の確認も含むとき、両方の結果をまとめて表示してもよいし、それぞれに分けて表示してもよい。本例では、３３５が誘導灯の識別情報、３３６が、蓄電装置による電力供給動作が正常か否かに関する情報に相当する。
【００３２】
メッセージ３３３は、誘導灯１００ａ、１００ｂ、１００ｃ、１００ｄ、・・・、の全てについて、蓄電装置による電力供給動作が正常であるか、一部の誘導灯について、蓄電装置による電力供給動作が正常でないかを示す。
メッセージ３３４は、誘導灯１００ａ、１００ｂ、１００ｃ、１００ｄ、・・・、に対して蓄電装置による電力供給動作の確認が完了したことを示す。
【００３３】
ボタン入力器３１０は、複数のボタンを備える。各ボタンは、ユーザーにより押下されることにより、操作される。
入出力制御器３０６は、ボタン入力器３１０及びタッチパネル３０９と、制御器３０３との間において、情報を中継する。
制御器３０３は、携帯通信器３０１、近距離無線通信器３０２、情報記憶器３０４、音声制御器３０５及び入出力制御器３０６を制御する。
【００３４】
また、制御器３０３は、タッチパネル３０９から、入出力制御器３０６を介して、確認開始指示を受け取る。確認開始指示を受け取ると、制御器３０３は、各誘導灯の蓄電装置による電気機器に対する電力供給動作が正常か否かに関する情報を要求する要求信号を生成する。次に、制御器３０３は、生成した要求信号を近距離無線通信器３０２に出力し、要求信号を送信させる。
【００３５】
また、制御器３０３は、誘導灯１００ａの蓄電装置２００ａから、近距離無線通信器３０２を介して、応答情報を受信する。応答情報を受信すると、制御器３０３は、受信した応答情報を情報記憶器３０４に書き込む。次に、制御器３０３は、情報記憶器３０４から応答情報を読み出し、読み出した応答情報を用いて、タッチパネル３０９に表示すべき一覧表を生成する。一覧表は、誘導灯１００ａ、１００ｂ、１００ｃ、１００ｄ、・・・、をそれぞれ識別する番号と、それぞれの誘導灯における動作確認結果を、対応付けて、含む。制御器３０３は、生成した一覧表を、入出力制御器３０６を介して、タッチパネル３０９に出力する。
【００３６】
なお、制御器３０３は、制御機能を備えるものであればよく、演算処理器（図示せず）と、制御プログラムを記憶する記憶器（図示せず）とを備える。演算処理器としては、ＭＰＵ、ＣＰＵが例示される。記憶器としては、メモリが例示される。制御器３０３は、集中制御を行う単独の制御器で構成されていてもよく、互いに協働して分散制御を行う複数の制御器で構成されていてもよい。
【００３７】
タッチパネル３０９に表示される画面の遷移について、図２２を用いて説明する。なお、図２２（ａ）−（ｅ）は、それぞれ、タッチパネル３０９に表示される画面の遷移例を示す。
タッチパネル３０９は、それぞれの場合において、この図に示す画面３５１、３５２、３５３、３５４、３５５を表示する。
【００３８】
情報端末３００において、誘導灯１００ａ、１００ｂ、１００ｃ、１００ｄ、・・・、における蓄電装置の電力供給動作状況を収集するためのアプリケーションプログラムである検査システムを実行すると、タッチパネル３０９は、図２２（ａ）に示す画面３５１を表示する。
図２２（ａ）に示すように、画面３５１は、タイトル３６０、ボタン３６１、ボタン３６２及びボタン３６３を含んでいる。タイトル３６０、ボタン３６１、ボタン３６２及びボタン３６３には、それぞれ、「検査システム」、「検査開始」、「設定」及び、「過去ログ」が表示されている。
【００３９】
利用者がボタン３６１を操作すると、誘導灯１００ａ、１００ｂ、１００ｃ、１００ｄ、・・・、における蓄電装置の電力供給動作状況の収集が開始され、図２２（ｂ）に示す画面３５２が表示される。利用者がボタン３６２を操作すると、誘導灯１００ａ、１００ｂ、１００ｃ、１００ｄ、・・・、における蓄電装置の電力供給動作状況を収集する際の条件を設定する画面が表示される。利用者がボタン３６３を操作すると、過去の履歴が表示される。
【００４０】
画面３５２は、タイトル３６４を含んでいる。タイトル３６４には、「検査中」が表示されている。これは、誘導灯１００ａ、１００ｂ、１００ｃ、１００ｄ、・・・、における蓄電装置の電力供給動作状況の収集が行われていることを示す。
誘導灯１００ａ、１００ｂ、１００ｃ、１００ｄ、・・・、における蓄電装置の電力供給動作状況の収集が終了すると、図２２（ｃ）に示す画面３５３又は図２２（ｄ）に示す画面３５４が表示される。画面３５３は、全ての誘導灯における検査結果が正常である場合に表示され、画面３５４は、いずれかの誘導灯における検査結果が異常である場合に表示される。
【００４１】
画面３５３は、検査結果３７１、検査詳細３７２、ボタン３７３及びボタン３７４を含んでいる。検査結果３７１、ボタン３７３及びボタン３７４には、それぞれ、「異常なし」、「アップロード」及び「閉じる」が表示されている。検査詳細３７２には、検査の詳細が表示されている。検査の詳細は、検査日、検査者、検査場所、検査対象台数、検査対象の製品識別子などを含む。
【００４２】
利用者がボタン３７３を操作すると、収集された応答情報がサーバ装置４００に対して送信される。利用者がボタン３７４を操作すると、画面３５３に代えて、画面３５１が表示される。
画面３５４は、検査結果３８１、検査詳細３８２、ボタン３８３、ボタン３８４及びボタン３８５を含んでいる。検査結果３８１、ボタン３８３、ボタン３８４及びボタン３８５には、それぞれ、「異常発見」、「詳細」、「アップロード」及び「閉じる」が表示されている。検査詳細３８２には、検査の詳細が表示されている。検査の詳細は、検査日、検査者、検査場所、検査対象台数、検査対象の製品識別子、異常が検出された製品の識別子などを含む。
【００４３】
利用者がボタン３８３を操作すると、図２２（ｅ）に示す画面３５５が表示される。利用者がボタン３８４を操作すると、収集された応答情報がサーバ装置４００に対して送信される。利用者がボタン３８５を操作すると、画面３５４に代えて、画面３５１が表示される。
画面３５５は、タイトル３９１、検査詳細３９２、ボタン３９３及びボタン３９４を含んでいる。タイトル３９１、ボタン３９３及びボタン３９４には、それぞれ、「詳細情報」、「販売元連絡」及び「閉じる」が表示されている。検査詳細３９２は、異常が検出された製品の識別子、設置場所、異常の状況などを含む。
【００４４】
利用者がボタン３９３を操作すると、販売元に対して、詳細情報が通知される。利用者がボタン３９４を操作すると、画面３５５に代えて、画面３５１が表示される。
誘導灯１００ａ、１００ｂ、１００ｃ、１００ｄ、・・・、は、同一の構造を有している。ここでは、誘導灯１００ａ、１００ｂ、１００ｃ、１００ｄ、・・・、を誘導灯１００として説明する。また、蓄電装置２００ａ、２００ｂ、２００ｃ、２００ｄ、・・・は、同一の構造を有している。ここでは、蓄電装置２００ａ、２００ｂ、２００ｃ、２００ｄ、・・・を蓄電装置２００として説明する。
【００４５】
誘導灯１００には、蓄電装置２００が接続されている。蓄電装置２００から供給される電力により、誘導灯１００は、点灯する。
蓄電装置２００は、外部の通信機器である他の誘導灯の蓄電装置又は情報端末３００と、近距離無線通信により通信する。蓄電装置２００は、外部の通信機器から、蓄電装置による誘導灯に対する電力供給動作が正常か否かに関する情報を要求する要求信号を受信する。要求信号を受信すると、蓄電装置２００は、電力供給動作が正常か否かに関する情報を含む応答情報を要求信号の送信元に送信する。また、蓄電装置２００は、要求信号を他の蓄電装置に対して送信する。
【００４６】
図３は、誘導灯１００及び蓄電装置２００の分解斜視図である。また、図４は、誘導灯１００及び蓄電装置２００の機能構成を示すブロック図である。
図３に示すように、載置台１０６の上面に、蓄電装置２００が固着した状態で設置され、蓄電装置２００の上部に動作器（照明器）を備える誘導灯１００が取り外し可能に設置されて、構成されている。
【００４７】
蓄電装置２００は、４枚の長尺状の外装板１０４が組み合わされて形成された直方体の内部に、蓄電池２０１を収容して構成され、各外装板１０４の外装面には、長尺状に形成された太陽電池（ソーラーパネル：solar panel）２０２が固定されている。
動作器１０３は、半透明状のカバー部材１０５により覆われている。カバー部材１０５は、照明器により照射される光を透過しつつ、照明器を外部環境から保護する。
【００４８】
蓄電装置２００は、図４に示すように、蓄電池２０１、太陽電池２０２、第一制御器２０３、第一検査器２０４及び第一通信器２０５を備える。
蓄電装置２００は、自身を一意に識別する蓄電装置識別子を内部に保持している。
蓄電池２０１は、二次電池であり、充電を行うことにより電気を蓄えて電池として使用でき、繰り返し使用することが出来る化学電池である。
【００４９】
蓄電池２０１は、太陽電池２０２から電力を受け取り、充電を行う。
蓄電池２０１は、電力供給スイッチ（ＦＥＴ）を備えている。電力供給スイッチは、第一制御器２０３の制御により、ＯＮ又はＯＦＦに設定される。
電力供給スイッチがＯＮに設定されると、蓄電池２０１は、誘導灯１００の動作器１０３に対して、電力を供給する。これにより、動作器１０３は、動作を開始する。電力供給スイッチがＯＦＦに設定されると、蓄電池２０１は、誘導灯１００の動作器１０３に対する電力の供給を停止する。
【００５０】
太陽電池２０２は、太陽光等により発電を行うためのパネルであり、太陽電池パネル（photovoltaic panel）などと呼ばれることもある。太陽電池２０２は、生成した電力を蓄電池２０１に供給する。
第一制御器２０３は、制御用のコンピュータプログラムを記憶している記憶器（図示せず）と、演算処理器（図示せず）とを備える。制御用のコンピュータプログラムに従って、プロセッサが動作することにより、第一制御器２０３は、その機能を達成する。演算処理器としては、ＭＰＵ、ＣＰＵが例示される。記憶器としては、メモリが例示される。第一制御器２０３は、集中制御を行う単独の制御器で構成されていてもよく、互いに協働して分散制御を行う複数の制御器で構成されていてもよい。
【００５１】
第一制御器２０３は、蓄電装置２００が内部に保持している蓄電装置識別子を読み出す。
第一制御器２０３は、第一通信器２０５から蓄電装置による誘導灯に対する電力供給動作が正常か否かに関する情報を要求する要求信号を受け取る。また、第一制御器２０３は、第一通信器２０５から応答情報（下流側からの応答情報と呼ぶ。）を受け取る場合もある。ここで、要求信号は、上流側の通信機器により送信される。また、下流側からの応答情報は、下流側の蓄電装置により送信される。
【００５２】
要求信号を受け取ると、第一制御器２０３は、蓄電装置２００による誘導灯１００に対する電力供給動作が正常か否かを検査する検査プログラムを実行する。検査プログラムには、要求信号を受け取った場合に、第一制御器２０３において実行すべき命令が記載されている。本例では、上記検査プログラムで、誘導灯１００の動作が正常であるか否かも検査される。
【００５３】
検査プログラムの実行を開始すると、第一制御器２０３は、蓄電池２０１が備えている電力供給スイッチ（ＦＥＴ）をＯＮにする。
第一制御器２０３は、第一検査器２０４から、蓄電池２０１から誘導灯１００に対して、電力が正常に供給されているか否かを示す検査結果である電力供給情報（第１情報）、及び、誘導灯１００が正常に動作しているか否かを示す検査結果である機器動作情報（第２情報）を受け取る。
【００５４】
電力供給情報及び機器動作情報を受け取ると、第一制御器２０３は、読み出した蓄電装置識別子、電力供給情報及び機器動作情報を含む装置応答情報を生成する。次に、第一制御器２０３は、生成した装置応答情報を含む応答情報（自身の応答情報と呼ぶ。）を生成する。
なお、本例及び以降の例では、蓄電装置２００が外部の通信機器（情報端末または他の蓄電装置）から蓄電装置による誘導灯に対する電力供給動作が正常か否かに関する情報を要求する要求信号を受け取ると、第一制御器２０３は、電力供給情報及び機器動作情報を含む装置応答情報を生成しているが、これに限定されない。蓄電装置２００が蓄電装置による誘導灯に対する電力供給動作が正常か否かに関する情報及び誘導灯の動作が正常であるか否かに関する情報を要求する要求信号を受け取ると、第一制御器２０３は、電力供給情報及び機器動作情報を含む装置応答情報を生成してもよい。
【００５５】
また、下流の蓄電装置からの応答情報（下流側の応答情報）を受信すると、第一制御器２０３は、受信した下流側の応答情報から、１個又は複数個の装置応答情報を抽出する。各装置応答情報は、蓄電装置識別子、電力供給情報及び機器動作情報を含む。次に、第一制御器２０３は、抽出した１個又は複数個の装置応答情報を、生成した自身の応答情報に追加する。
【００５６】
図５は、応答情報２５１のデータ構造の一例を示す。図５に示すように、応答情報２５１は、１個又は複数個の装置応答情報を含む。各装置応答情報は、蓄電装置識別子、電力供給情報及び機器動作情報を含む。蓄電装置識別子は、蓄電装置２００を識別するための識別情報である。電力供給情報は、蓄電池２０１から誘導灯１００に対して、電力が正常に供給されているか否かを示す検査結果である。機器動作情報は、誘導灯１００が正常に動作しているか否かを示す検査結果である。
【００５７】
一例として、図５に示すように、応答情報２５１は、装置応答情報２５２を含む。装置応答情報２５２は、蓄電装置識別子２５３「ＩＤ００１」、電力供給情報２５４「正常」及び機器動作情報２５５「正常」を含む。
応答情報を生成すると、第一制御器２０３は、生成した応答情報を第一通信器２０５に出力して、送信させる。
【００５８】
蓄電装置による誘導灯に対する電力供給動作が正常か否かに関する情報を要求する要求信号を受け取ると、第一制御器２０３は、受け取った要求信号を第一通信器２０５に出力して、送信させる。
第一検査器２０４は、電流センサ及び電圧センサの少なくとも一方を備えている。
第一制御器２０３により、検査プログラムの実行が開始されると、第一検査器２０４は、電流センサ及び電圧センサの少なくとも一方により検出した電流及び電圧の少なくとも一方により、蓄電池２０１から誘導灯１００に対して、電力が正常に供給されているか否かを検査する。第一検査器２０４は、電力が正常に供給されているか否かを示す検査結果である電力供給情報を第一制御器２０３に対して、出力する。また、第一検査器２０４は、電流センサ及び電圧センサの少なくとも一方により検出した電流及び電圧の少なくとも一方により、誘導灯１００が正常に動作しているか否かを推定する。これにより、第一検査器２０４は、誘導灯１００が正常に動作しているか否かを検査する。第一検査器２０４は、誘導灯１００が正常に動作しているか否かを示す検査結果である機器動作情報を第一制御器２０３に対して、出力する。
【００５９】
第一通信器２０５は、一例として、ＩＥＥＥ８０２．１５．１（Bluetooth(登録商標)、ブルートゥース）の規格に基づいて、近距離無線による通信を行う。なお、第一通信器２０５は、ZigBeeにより規定される近距離無線通信規格に基づいて、近距離無線により通信を行うとしてもよい。
第一通信器２０５は、要求信号及び応答情報（下流側の応答情報）を受信する。要求信号及び下流側の応答情報を受信すると、受信した要求信号及び下流側の応答情報を第一制御器２０３に対して出力する。ここで、要求信号は、上流側の通信機器により送信される。また、下側流の応答情報は、下流側の蓄電装置により送信される。
【００６０】
また、第一通信器２０５は、第一制御器２０３から、蓄電装置による誘導灯に対する電力供給動作が正常か否かに関する情報を要求する要求信号を受け取る。要求信号を受け取ると、受け取った要求信号を送信する。
第一通信器２０５から発信される信号には、指向性はなく、第一通信器２０５の周囲に向けて放射される。
【００６１】
サーバ装置４００は、情報端末３００から、各誘導灯により収集した応答情報を受信し、受信した応答情報を記憶する。
サーバ装置４００は、制御器、通信器及び情報記憶器を備える。
サーバ装置４００は、具体的には、マイクロプロセッサ、ＲＯＭ、ＲＡＭ、ハードディスクデバイス、通信ユニットなどを備えるコンピュータシステムである。ハードディスクデバイス又はＲＡＭには、コンピュータプログラムが記憶されている。マイクロプロセッサは、コンピュータプログラムに従って動作する。これにより、制御器は、その機能を達成する。
【００６２】
制御器は、情報端末３００から、通信器を介して、応答情報を受信する。制御器は、受信した応答情報を情報記憶器に書き込む。
図６〜図８は、点検システム１０における動作を示すシーケンス図である。
点検システム１０の動作について、図６〜図８に示すシーケンス図を用いて説明する。
タッチパネル３０９は、確認開始指示を受け付ける（ステップＳ１０１）。制御器３０３は、蓄電装置による誘導灯に対する電力供給動作が正常か否かに関する情報を要求する要求信号を生成する（ステップＳ１０２）。近距離無線通信器３０２は、近距離無線通信により、要求信号を送信する（ステップＳ１０３）。
【００６３】
蓄電装置２００ａの第一通信器２０５は、近距離無線通信により、要求信号を受信する（ステップＳ１０３）。第一通信器２０５は、近距離無線通信により、要求信号を送信する（ステップＳ１０４）。
第一制御器２０３は、検査プログラムを起動する（ステップＳ１１１）。第一制御器２０３は、電力供給スイッチをＯＮにする（ステップＳ１１２）。蓄電池２０１は、動作器１０３に電力を供給する（ステップＳ１４１）。
【００６４】
第一検査器２０４は、誘導灯１００に電力が正常に供給されているか否かをチェックする（ステップＳ１１３）。第一制御器２０３は、電力供給情報（１）を生成する（ステップＳ１１４）。次に、第一検査器２０４は、誘導灯１００の動作をチェックする（ステップＳ１１５）。第一制御器２０３は、機器動作情報（１）を生成する（ステップＳ１１６）。第一制御器２０３は、蓄電装置識別子（１）、電力供給情報（１）及び機器動作情報（１）を含む応答情報（１）を生成する（ステップＳ１１７）。
【００６５】
次に、第一制御器２０３は、所定時間の経過を確認する（ステップＳ１１８）。ここで、所定時間は、誘導灯１００ｂの蓄電装置２００ｂによって生成された応答情報（２）を受信するために十分な時間である。例えば、所定時間は、１分である。所定時間が経過していない場合（ステップＳ１１８で「Ｎｏ」）、所定時間の経過を待って、ステップＳ１１８に制御を戻す。所定時間が経過している場合（ステップＳ１１８で「Ｙｅｓ」）、第一制御器２０３は、誘導灯１００ｂの蓄電装置２００ｂにより生成された応答情報（２）を受信した否かを確認する（ステップＳ１１９）。応答情報（２）を受信していない場合（ステップＳ１１９で「Ｎｏ」）、第一通信器２０５は、近距離無線通信により、応答情報（１）を送信する（ステップＳ１２２）。応答情報（２）を受信している場合（ステップＳ１１９で「Ｙｅｓ」）、第一制御器２０３は、応答情報（２）から蓄電装置識別子、電力供給情報及び機器動作情報を抽出する（ステップＳ１２０）。次に、第一制御器２０３は、抽出した蓄電装置識別子、電力供給情報及び機器動作情報を応答情報（１）に追加する（ステップＳ１２１）。次に、第一通信器２０５は、蓄電装置識別子、電力供給情報及び機器動作情報が追加された応答情報（１）を、近距離無線通信により、送信する（ステップＳ１２３）。
【００６６】
一方、蓄電装置２００ｂの第一通信器２０５は、近距離無線通信により、要求信号を受信する（ステップＳ１０４）。第一通信器２０５は、近距離無線通信により、要求信号を送信する（ステップＳ１０５）。
次に、誘導灯１００ｂの蓄電装置２００ｂは、上記のステップＳ１１１〜Ｓ１１７と同様に動作する（ステップＳ１１１ａ〜Ｓ１１７ａ）。なお、ステップＳ１１４ａでは、電力供給情報（２）が生成され、ステップＳ１１６ａでは、機器動作情報（２）が生成され、ステップＳ１１７ａでは、応答情報（２）が生成される。
【００６７】
次に、誘導灯１００ｂの蓄電装置２００ｂは、上記のステップＳ１１８〜Ｓ１２３と同様に動作する（ステップＳ１１８ａ〜Ｓ１２３ａ）。なお、ステップＳ１１９ａでは、応答情報（３）が受信されたか否か確認される。ステップＳ１２０ａでは、応答情報（３）から蓄電装置識別子、電力供給情報及び機器動作情報が抽出される。ステップＳ１２１ａでは、応答情報（２）に、抽出された蓄電装置識別子、電力供給情報及び機器動作情報が追加される。また、ステップＳ１２２ａ及びＳ１２３ａでは、応答情報（２）が送信される。
【００６８】
一方、蓄電装置２００ｃの第一通信器２０５は、近距離無線通信により、要求信号を受信する（ステップＳ１０５）。第一通信器２０５は、近距離無線通信により、要求信号を送信する（ステップＳ１０６）。次に、誘導灯１００ｃの蓄電装置２００ｃは、上記のステップＳ１１１〜Ｓ１２３と同様に動作する。なお、ステップＳ１２２ｂ及びＳ１２３ｂでは、応答情報（３）が送信される。
【００６９】
近距離無線通信器３０２は、近距離無線通信により、応答情報（１）を受信する（ステップＳ１２２、Ｓ１２３）。制御器３０３は、応答情報（１）を情報記憶器３０４に書き込む（ステップＳ１２４）。
制御器３０３は、各蓄電装置の電力供給情報、及び各蓄電装置に接続された誘導灯１００（電気機器）の機器動作情報を含む情報を表示する一覧画面を生成し（ステップＳ１３１）、タッチパネル３０９は、生成された一覧画面を表示する（ステップＳ１３２）。
【００７０】
制御器３０３は、現在時刻が午前０時か否かを判断する（ステップＳ１３３）。午前０時でなければ（ステップＳ１３３で「Ｎｏ」）、時間の経過を待って、ステップＳ１３３に戻る。午前０時であれば（ステップＳ１３３で「Ｙｅｓ」）、情報記憶器３０４に記憶されている応答情報を集計して、集計応答情報を生成する（ステップＳ１３４）。次に、携帯通信器３０１は、生成した集計応答情報を、携帯電話網及びインターネットを介して、サーバ装置４００に対して送信する（ステップＳ１３５）。
【００７１】
サーバ装置４００の通信器は、集計応答情報を受信する（ステップＳ１３５）。サーバ装置４００の制御器は、集計応答情報を情報記憶器に書き込む（ステップＳ１３６）。
これにより、点検システム１０における一連の処理を終了する。
（変形例）
蓄電装置２００の第一制御器２０３は、他の誘導灯から受信した応答情報を記憶している、としてもよい。この場合、各誘導灯の第一制御器２０３により生成される応答情報は、さらに、当該応答情報を生成した日時情報（年月日、時分秒）を含む。
【００７２】
第一制御器２０３は、受信した応答情報に含まれる蓄電装置識別子及び日時情報と、記憶している応答情報に含まれる蓄電装置識別子及び日時情報とを比較する。一致すれば、受信した応答情報を処理することなく、破棄する。
このようにすることにより、同一の応答情報の受信を避けることができる。
また、情報端末３００の制御器３０３により生成される要求信号は、当該要求信号が生成された日時情報（年月日、時分秒）を含む、としてもよい。
【００７３】
蓄電装置２００の第一制御器２０３は、蓄電装置による誘導灯に対する電力供給動作が正常か否かに関する情報を要求する要求信号を受け取ると、受け取った要求信号から日時情報を抽出する。次に、第一制御器２０３は、抽出した日時情報により示される日時と、現在時刻（年月日、時分秒）とを比較する。両者の差が所定時間（例えば、５分）未満であれば、第一制御器２０３は、受け取った要求信号を処理することなく、要求信号を破棄する。
【００７４】
このようにすることにより、同一の要求信号の受信を避けることができる。例えば、情報端末３００の制御器３０３が、所定時間以上の間隔をあけて、２個の要求信号を生成して送信する場合、各誘導灯の蓄電装置２００は、２個の要求信号の両方とも、有効であると判断して、処理を行う。一方、所定時間未満の間隔をあけて、２個の要求信号を受信した場合、各誘導灯の蓄電装置２００は、最初の要求信号が有効とみなして、処理を行い、後の要求信号は誤りであるとみなして、破棄する。
【００７５】
（実施の形態２）
本開示の実施の形態２としての点検システム２０について説明する。
点検システム２０は、点検システム１０と類似した構成を有している。ここでは、点検システム１０との相違点を中心として説明する。
図９は、点検システム２０の構成を示すシステム構成図である。
【００７６】
点検システム２０は、図９に示すように、点検システム１０の誘導灯１００ａ、１００ｂ、１００ｃ、１００ｄ、・・・、に代えて、街路灯５００ａ、５００ｂ、５００ｃ、５００ｄ、・・・、を有している。街路灯は、本開示の電気機器の一例である。
従って、点検システム２０は、図９に示すように、街路灯５００ａ、５００ｂ、５００ｃ、５００ｄ、・・・、情報端末３００及びサーバ装置４００を備える。
【００７７】
街路灯５００ａ、５００ｂ、５００ｃ、５００ｄ、・・・、は、道路上に所定の間隔を置いて、この順序で一列に設置されている。また、街路灯５００ａ、５００ｂ、５００ｃ、５００ｄ、・・・には、蓄電装置２００ａ、２００ｂ、２００ｃ、２００ｄ、・・・が接続されている。
街路灯５００ａ、５００ｂ、５００ｃ、５００ｄ、・・・、は、同一の構造を有している。ここでは、街路灯５００ａ、５００ｂ、５００ｃ、５００ｄ、・・・、を街路灯５００として説明する。
【００７８】
街路灯５００には、図１０に示すように、蓄電装置２００が接続されている。街路灯５００は、動作器５０１を含み、動作器５０１は、一例として、照明器であり、ＬＥＤ、蛍光灯、ハロゲンランプ等が用いられる。照明器は、蓄電装置２００により供給される電力により、発光する。
蓄電装置２００は、点検システム１０の誘導灯の蓄電装置２００と同様の構成を有している。蓄電装置２００は、点検システム１０の誘導灯の蓄電装置２００の太陽電池２０２に代えて、電源器２０２ａ及びプラグ２０２ｂを備えている。従って、蓄電装置２００は、図１０に示すように、蓄電池２０１、電源器２０２ａ、プラグ２０２ｂ、第一制御器２０３、第一検査器２０４及び第一通信器２０５を備えている。プラグ２０２ｂは、商用電源に接続され、商用電源から電力が供給される。
【００７９】
街路灯５００ｂ、５００ｃ、５００ｄ、・・・、も、街路灯５００ａと同様に構成されている。こうして、街路灯５００ａ、５００ｂ、５００ｃ、５００ｄ、・・・、により、道路上が照らされているので、夜間であっても、歩行者は、安心して歩くことできる。
各誘導灯が備える蓄電装置２００の蓄電残量が少なくなったり、動作器５０１に故障が発生したりする可能性がある。そこで、点検システム２０の点検者は、点検システム１０の場合と同様にして、街路灯５００ａ、５００ｂ、５００ｃ、５００ｄ、・・・、を点検する。
【００８０】
点検システム２０における、応答情報のデータ構造、及び具体的な動作シーケンスは、実施形態１の点検システム１０と同様であるので、その説明を省略する。
実施の形態２及び以下の各変形例において、情報端末３００から街路灯５００ａへ、街路灯５００ａから街路灯５００ｂへ、街路灯５００ｂから街路灯５００ｃへ、街路灯５００ｃから街路灯５００ｄへ向かう方向を、下流方向（下流側）と呼ぶ。下流方向は、蓄電装置による街路灯に対する電力供給動作が正常か否かに関する情報を要求する要求信号が伝達される方向である。一方、街路灯５００ｄから街路灯５００ｃへ、街路灯５００ｃから街路灯５００ｂへ、街路灯５００ｂから街路灯５００ａへ、街路灯５００ａから情報端末３００から向かう方向を、上流方向（上流側）と呼ぶ。上流方向は、応答情報が伝達される方向である。
【００８１】
（変形例１）
実施の形態２の点検システム２０の変形例１としての点検システム２０ａについて、点検システム２０との相違点を中心として、説明する。
点検システム２０ａは、街路灯５００ｈ、・・・、情報端末３００及びサーバ装置４００を備える。
【００８２】
街路灯５００ｈには、図１１に示すように、蓄電装置２００ｈが接続されている。蓄電装置２００ｈは、この図に示すように、蓄電池２０１、電源器２０２ａ、プラグ２０２ｂ、第一制御器２０３ａ、第一検査器２０４及び第一通信器２０５を備えている。また、街路灯５００ｈは、この図に示すように、動作器５０１及び第二制御器５０２を備えている。
【００８３】
第二制御器５０２は、制御用のコンピュータプログラムを記憶している記憶器（図示せず）と、演算処理器（図示せず）とを備える。制御用のコンピュータプログラムに従って、プロセッサが動作することにより、第二制御器５０２、その機能を達成する。演算処理器としては、ＭＰＵ、ＣＰＵが例示される。記憶器としては、メモリが例示される。第二制御器５０２は、集中制御を行う単独の制御器で構成されていてもよく、互いに協働して分散制御を行う複数の制御器で構成されていてもよい。
【００８４】
蓄電池２０１、電源器２０２ａ、プラグ２０２ｂ、第一制御器２０３ａ、第一検査器２０４及び第一通信器２０５は、それぞれ、点検システム２０の蓄電装置２００の蓄電池２０１、電源器２０２ａ、プラグ２０２ｂ、第一制御器２０３、第一検査器２０４及び第一通信器２０５と同様の構成を有している。また、街路灯５００ｈの動作器５０１は、点検システム２０の街路灯５００の動作器５０１と同様の構成を有している。
【００８５】
要求信号を受け取ると、第一制御器２０３ａは、検査プログラムを実行する。
検査プログラムの実行を開始すると、第一制御器２０３ａは、蓄電池２０１が備えている電力供給スイッチ（ＦＥＴ）をＯＮにする。
電力供給スイッチがＯＮになると、蓄電池２０１は、街路灯５００ｈの第二制御器５０２に対して電力を供給する。電力が供給されると、第二制御器５０２は、動作器５０１の動作をＯＮにする。
【００８６】
動作器５０１の動作が開始されると、第一検査器２０４は、蓄電池２０１から街路灯５００ｈに対して、電力が正常に供給されているか否かを検査する。また、第一検査器２０４は、街路灯５００ｈが正常に動作しているか否かを検査する。
次に、点検システム２０ａにおける動作について、図１２に示すシーケンス図を用いて説明する。点検システム２０ａにおける動作は、点検システム１０における動作と類似している。ここでは、点検システム１０における動作との相違点を中心として、説明する。
【００８７】
図１２に示すステップＳ１０１〜Ｓ１０５、Ｓ１１１〜Ｓ１２３は、それぞれ、図６及び図７に示すステップＳ１０１〜Ｓ１０５、Ｓ１１１〜Ｓ１２３と同一である。
ステップＳ１１２において、第一制御器２０３ａが、蓄電池２０１が備えている電力供給スイッチ（ＦＥＴ）をＯＮにすると、蓄電池２０１から、街路灯５００ｈの第二制御器５０２に対して電力が供給される（ステップＳ１５１）。次に、第二制御器５０２は、動作器５０１の動作をＯＮにする（ステップＳ１５２）。
【００８８】
図１２に示すステップＳ１１７より後の動作は、図７及び図８のシーケンス図に示す動作と同様である。
（変形例２）
実施の形態２の点検システム２０の変形例２としての点検システム２０ｂについて、点検システム２０との相違点を中心として、説明する。
【００８９】
点検システム２０ｂは、街路灯５００ｉ、・・・、情報端末３００及びサーバ装置４００を備える。
街路灯５００ｉには、図１３に示すように、蓄電装置２００ｉが接続されている。蓄電装置２００ｉは、この図に示すように、蓄電池２０１、電源器２０２ａ、プラグ２０２ｂ、第一制御器２０３ｂ、第一検査器２０４、第一通信器２０５及び第二通信器２０６を備えている。また、街路灯５００ｉは、この図に示すように、動作器５０１、第二制御器５０２ｂ及び第三通信器５０３を備えている。
【００９０】
ここで、第二通信器２０６及び第三通信器５０３は、それぞれ、有線通信での通信端子を備える。なお、第二通信器２０６及び第三通信器５０３が近距離無線通信器であってもよい。
蓄電池２０１、電源器２０２ａ、プラグ２０２ｂ、第一制御器２０３ｂ、第一検査器２０４及び第一通信器２０５は、それぞれ、点検システム２０の蓄電装置２００の蓄電池２０１、電源器２０２ａ、プラグ２０２ｂ、第一制御器２０３、第一検査器２０４及び第一通信器２０５と同様の構成を有している。また、街路灯５００ｉの動作器５０１は、点検システム２０の街路灯５００の動作器５０１と同様の構成を有している。
【００９１】
蓄電池２０１は、常時、第二制御器５０２ｂに対して、電力を供給している。
また、第二制御器５０２ｂは、定期的に確認信号を生成する。第二制御器５０２ｂは、生成した確認信号を、定期的に、第三通信器５０３及び第二通信器２０６を介して、第一制御器２０３ｂに対して送信する。
第一制御器２０３ｂは、定期的に確認信号を受信する。
【００９２】
ここで、定期的とは、一例として、１分間に一回である。なお、その他の所定の間隔であるとしてもよい。
蓄電装置２００ｉは、定期的に、街路灯５００ｉから受信するので、第一制御器２０３ｂは、確認信号が受信できているか否かを判断することにより、蓄電装置２００ｉから街路灯５００ｉに対して、正常に電力が供給されているか否かを確認することができる。第一検査器２０４を用いた検査を実行しなくても、街路灯に対して正常に電力が供給されているか否かを確認することができる。
【００９３】
次に、第一制御器２０３ｂは、蓄電装置による街路灯に対する電力供給動作が正常か否かに関する情報を要求する要求信号を受信すると、第二通信器２０６及び第三通信器５０３を介して、第二制御器５０２ｂに対して、街路灯５００ｉの動作が正常か否かに関する情報を要求する要求信号を出力する。また、第一制御器２０３ｂは、第二制御器５０２ｂに対して、検査プログラムの実行を要求する。
【００９４】
検査プログラムの実行の要求を受け取ると、第二制御器５０２ｂは、動作器５０１に対して、動作を開始させる。
次に、動作器５０１の動作が開始されると、第一検査器２０４は、街路灯５００ｉが正常に動作しているか否かを検査する。
また、第一制御器２０３ｂは、第二通信器２０６を介して受信した街路灯５００ｉの動作が正常か否かに関する情報を応答情報に付加する。
【００９５】
次に、点検システム２０ｂにおける動作について、図１４〜図１５に示すシーケンス図を用いて説明する。点検システム２０ｂにおける動作は、点検システム１０における動作と類似している。ここでは、点検システム１０における動作との相違点を中心として、説明する。
図１４に示すステップＳ１０１〜Ｓ１０４は、それぞれ、図６に示すステップＳ１０１〜Ｓ１０４と同じである。
【００９６】
第二制御器５０２ｂは、所定時間の経過を確認する（ステップＳ２０１）。所定時間が経過していない場合（ステップＳ２０１で「Ｎｏ」）、第二制御器５０２ｂは、所定時間の経過を待って、ステップＳ２０１に制御を戻す。所定時間が経過している場合（ステップＳ２０１で「Ｙｅｓ」）、第二制御器５０２ｂは、確認信号を生成する（ステップＳ２０２）。次に、ステップＳ２０１に制御を戻す。また、第二制御器５０２ｂは、生成した確認信号を、第三通信器５０３及び第二通信器２０６を介して、第一制御器２０３ｂに対して送信する（ステップＳ２０３）。
【００９７】
第一制御器２０３ｂは、確認信号が受信できているか否かを判断する（ステップＳ２０４）。これにより、蓄電装置２００ｉから街路灯５００ｉに対して、正常に電力が供給されているか否かを確認することができる。
第一制御器２０３ｂは、確認信号が受信できているか否かの判断結果により、電力供給情報（１）を生成する（ステップＳ１１４）。
【００９８】
次に、第一制御器２０３ｂは、検査プログラムの実行の要求を生成する（ステップＳ２０６）。次に、第一制御器２０３ｂは、第二通信器２０６及び第三通信器５０３を介して、第二制御器５０２ｂに対して、検査プログラムの実行の要求を送信する（ステップＳ２０７）。
第二制御器５０２ｂは、検査プログラムの実行の要求を受信する（ステップＳ２０７）。検査プログラムの実行の要求を受信すると、第二制御器５０２ｂは、動作器５０１に対して、動作を開始させる（ステップＳ２０８）。
【００９９】
次に、図６〜図７に示すステップＳ１１５〜Ｓ１２３と同様に動作する。
図１５に示すステップＳ１１７より後の動作は、図７及び図８のシーケンス図に示す動作と同様である。
（変形例３）
上記の変形例２の点検システム２０ｂの変形例３としての点検システム２０ｃについて、点検システム２０ｂとの相違点を中心として、説明する。
【０１００】
点検システム２０ｃは、街路灯５００ｊ、・・・、情報端末３００及びサーバ装置４００を備える。
街路灯５００ｊには、図１６に示すように、蓄電装置２００ｊが接続されている。蓄電装置２００ｊは、この図に示すように、蓄電池２０１、電源器２０２ａ、プラグ２０２ｂ、第一制御器２０３ｂ、第一通信器２０５及び第二通信器２０６を備えている。また、街路灯５００ｊは、この図に示すように、動作器５０１、第二制御器５０２ｂ、第三通信器５０３及び第二検査器５０４を備えている。
【０１０１】
第一制御器２０３ｂは、確認信号が受信できているか否かを判断する。これにより、蓄電装置２００ｊから街路灯５００ｊに対して、正常に電力が供給されているか否かを確認することができる。
動作器５０１の動作が開始されると、第二検査器５０４は、街路灯５００ｊが正常に動作しているか否かを検査する。第二検査器５０４は、検査結果を、第二制御器５０２ｂ、第三通信器５０３及び第二通信器２０６を介して、第一制御器２０３ｂに対して送信する。
【０１０２】
第一制御器２０３ｂは、第二検査器５０４から、第二制御器５０２ｂ、第三通信器５０３及び第二通信器２０６を介して、検査結果を受信する。次に、受信した検査結果を用いて、第一制御器２０３ｂは、機器動作情報を生成する。
次に、点検システム２０ｃにおける動作について、図１７に示すシーケンス図を用いて説明する。点検システム２０ｃにおける動作は、点検システム２０ｂにおける動作と類似している。ここでは、点検システム２０ｂにおける動作との相違点を中心として、説明する。
【０１０３】
点検システム２０ｃにおいては、図１４及び図１５に示すステップＳ１０２〜Ｓ１０４、ステップＳ２０１〜Ｓ２０４、Ｓ１１４、Ｓ２０６〜Ｓ２０８と同様に動作する。
ステップＳ２０８において、動作器５０１の動作が開始されると、第二検査器５０４は、街路灯５００ｊが正常に動作しているか否かを検査する（ステップＳ２４１）。次に、第二検査器５０４は、検査結果を、第二制御器５０２ｂ、第三通信器５０３及び第二通信器２０６を介して、第一制御器２０３ｂに対して送信する（ステップＳ２４２）。
【０１０４】
次に、第一制御器２０３ｂは、第二検査器５０４から、第二制御器５０２ｂ、第三通信器５０３及び第二通信器２０６を介して、検査結果を受信する（ステップＳ２４２）。
次に、図６〜図７に示すステップＳ１１６〜Ｓ１２３と同様に動作する。
図１７に示すステップＳ１１７より後の動作は、図７及び図８のシーケンス図に示す動作と同様である。
【０１０５】
（変形例４）
上記の変形例２の点検システム２０ｂの変形例４としての点検システム２０ｄについて、点検システム２０ｂとの相違点を中心として、説明する。
点検システム２０ｄは、街路灯５００ｉ、・・・、情報端末３００及びサーバ装置４００を備える。点検システム２０ｄは、点検システム２０ｂと類似の構成を有している。
【０１０６】
要求信号を受け取ると、第一制御器２０３ｂは、検査プログラムを実行する。
検査プログラムの実行を開始すると、第一制御器２０３ｂは、蓄電池２０１が備えている電力供給スイッチ（ＦＥＴ）をＯＮにする。
電力供給スイッチがＯＮになると、蓄電池２０１は、街路灯５００ｉの第二制御器５０２ｂに対して電力を供給する。電力が供給されると、第二制御器５０２ｂは、動作器５０１の動作をＯＮにする。また、電力が供給されると、第二制御器５０２ｂは、定期的に確認信号を生成し、生成した確認信号を、第三通信器５０３、第二通信器２０６を介して、第一制御器２０３ｂに対して送信する。
【０１０７】
このように、点検システム２０ｄでは、蓄電池２０１は、常時、第二制御器５０２ｂに対して、電力を供給していない。点検システム２０ｄでは、検査の開始時に、蓄電池２０１は、第二制御器５０２ｂに対して、電力を供給する。
次に、点検システム２０ｄにおける動作について、図１８に示すシーケンス図を用いて説明する。点検システム２０ｄにおける動作は、点検システム２０ｂにおける動作と類似している。ここでは、点検システム２０ｂにおける動作との相違点を中心として、説明する。
【０１０８】
図１８に示すステップＳ１０１〜Ｓ１０４は、それぞれ、図１４に示すステップＳ１０１〜Ｓ１０４と同じである。
要求信号を受け取ると（ステップＳ１０３）、第一制御器２０３ｂは、蓄電池２０１が備えている電力供給スイッチ（ＦＥＴ）をＯＮにする（ステップＳ２６１）。
次に、電力供給スイッチがＯＮになると、蓄電池２０１は、街路灯５００ｉの第二制御器５０２ｂに対して電力を供給する（ステップＳ２６２）。
【０１０９】
街路灯５００ｉの第二制御器５０２ｂに対して電力が供給された後は、図１４及び図１５に示すステップＳ２０１〜Ｓ２０４、Ｓ１１４、Ｓ２０６〜Ｓ２０８、Ｓ１１５〜Ｓ１２３と同様に動作する。
図１８に示すステップＳ２０６より後の動作は、図１５のシーケンス図に示す動作と同様である。
【０１１０】
（変形例５）
上記の変形例４の点検システム２０ｄの変形例５としての点検システム２０ｅについて、点検システム２０ｄとの相違点を中心として、説明する。
点検システム２０ｅは、街路灯５００ｋ、・・・、情報端末３００及びサーバ装置４００を備える。
【０１１１】
街路灯５００ｋには、図１９に示すように、蓄電装置２００ｋが接続されている。蓄電装置２００ｋは、この図に示すように、蓄電池２０１、電源器２０２ａ、プラグ２０２ｂ、第一制御器２０３ｂ、第一検査器２０４、 第一通信器２０５及び第二通信器２０６を備えている。また、街路灯５００ｋは、この図に示すように、動作器５０１、第二制御器５０２ｂ、第三通信器５０３及び第二検査器５０４を備えている。
【０１１２】
第一検査器２０４は、蓄電装置２００ｋから街路灯５００ｋに対して、正常に電力が供給されているか否かを確認する。
第二検査器５０４は、街路灯５００ｋが正常に動作しているか否かを検査する。第二検査器５０４は、検査結果を、第二制御器５０２ｂ、第三通信器５０３及び第二通信器２０６を介して、第一制御器２０３ｂに対して送信する。
【０１１３】
第一制御器２０３ｂは、第二検査器５０４から、第二制御器５０２ｂ、第三通信器５０３及び第二通信器２０６を介して、検査結果を受信する。次に、受信した検査結果を用いて、第一制御器２０３ｂは、機器動作情報を生成する。
（補足説明）
変形例２〜変形例４における街路灯における動作確認の詳細について、補足的に説明する。
【０１１４】
動作試験は、現時点が仮に昼間又は夜間であると設定して行われる。それぞれの場合について、商用電源（電力系統）が正常に電力を供給している場合、停電している場合、停電から復電した場合が仮定される。従って、これらに場合の組み合わせにより、試験条件は、６種類ある。街路灯における動作確認の試験条件を図２０に示す。この図において、それぞれの試験条件を試験番号により区別している。
【０１１５】
街路灯５００は、照度センサを備えている。照度センサは、街路灯５００の周辺の照度を検出する。動作試験が行われる場合、照度センサは、昼間の仮定及び夜間の仮定に応じて、それぞれ、昼間レベルのダミー信号及び夜間レベルのダミー信号を出力する。
また、電源器２０２ａは、電流センサを備えている。電流センサは、動作試験が行われる場合、電力系統が正常に電力を供給しているという仮定、停電している仮定及び停電から復電したという仮定に応じて、電力系統が正常に電力を供給していることを示すダミー信号、停電していることを示すダミー信号及び停電から復電したことを示すダミー信号を出力する。
【０１１６】
ここで、第一制御器において、検査プログラムを実行することにより、ダミー信号を送信してもよい。また、第二制御器において、検査プログラムを実行することにより、ダミー信号を送信してもよい。
以下に、それぞれの試験条件について、説明する。
（ａ）試験番号１：昼間で、電力系統が正常に電力を供給している場合
この場合、照明器は消灯し、かつ、蓄電池２０１は放電しないことが正常の動作である。
【０１１７】
本試験のプログラムを実行すると、電力系統が正常に電力を供給していることを示すダミー信号と照度が昼間レベルであることを示すダミー信号とが第二制御器に入力される。これらのダミー信号を受け取ると、第二制御器は、動作器（照明器）を動作させない。蓄電装置は、動作器に電力の供給をしない。第一検査器及び第二検査器の少なくとも一方は、蓄電装置による電力供給動作、照明器の動作を確認する。
【０１１８】
（ｂ）試験番号２：昼間で、停電している場合
この場合、照明器は消灯し、かつ、蓄電池２０１は放電しないことが正常の動作である。
本試験のプログラムを実行すると、停電を示すダミー信号と照度が昼間レベルであることを示すダミー信号とが第二制御器に対して入力される。これらのダミー信号を受け取ると、第二制御器は、動作器（照明器）を動作させない。蓄電装置は、動作器に電力の供給をしない。第一検査器及び第二検査器の少なくとも一方は、蓄電装置による電力供給動作、照明器の動作を確認する。
【０１１９】
（ｃ）試験番号３：昼間で、停電から復電した場合
この場合、照明器は消灯し、かつ、蓄電池２０１は放電しないことが正常の動作である。
本試験のプログラムを実行すると、電力系統が復電したことを示すダミー信号と照度が、昼間レベルであることを示すダミー信号とが、第二制御器に対して入力される。これらのダミー信号を受け取ると、第二制御器は、動作器（照明器）を動作させない。蓄電装置は、動作器に電力の供給をしない。第一検査器及び第二検査器の少なくとも一方は、蓄電装置による電力供給動作、照明器の動作を確認する。
【０１２０】
（ｄ）試験番号４：夜間で、電力系統が正常に電力を供給している場合
この場合、照明器は点灯し、かつ、蓄電池２０１は放電しないことが正常の動作である。
本試験のプログラムを実行すると、電力系統が正常に電力を供給していることを示すダミー信号と照度が、夜間レベルであることを示すダミー信号とが、第二制御器に対して入力される。これらのダミー信号を受け取ると、第二制御器は、動作器（照明器）を動作させる。電力系統が正常に電力を供給しているので、蓄電装置は、動作器に電力の供給をしない。電源器２０２ａから動作器に対して電力が供給される。少なくとも第一検査器を用いて、蓄電装置による電力供給動作、照明器の動作を確認する。場合によっては、第二検査器を用いて照明器の動作を確認してもよい。
【０１２１】
なお、第一検査器は、街路灯に電力系統からでなく蓄電装置から電力供給されていることを確認可能なセンサである。そうでないと、電力系統での電力で動作していると場合と混同する可能性がある。一例としては、蓄電装置から放電される電流を検知する電流センサが挙げられる。
（ｅ）試験番号５：夜間で、停電している場合
この場合、照明器は点灯し、かつ、蓄電池２０１は放電することが正常の動作である。
【０１２２】
本試験プログラムを実行すると、電力系統が停電していることを示すダミー信号と照度が、夜間レベルであることを示すダミー信号とが、第二制御器に対して入力される。これらのダミー信号を受け取ると、第二制御器は、動作器（照明器）を動作させる。電力系統が停電であるので、蓄電装置は、動作器に対して電力を供給する。少なくとも第一検査器を用いて、蓄電装置による電力供給動作、照明器の動作を確認する。場合によっては、第二検査器を用いて照明器の動作を確認してもよい。
【０１２３】
（ｆ）試験番号６：夜間で、停電から復電した場合
この場合、照明器は点灯し、かつ、蓄電池２０１は放電しないことが正常の動作である。
本試験プログラムを実行すると、電力系統が停電から復電したことを示すダミー信号と照度が、夜間レベルであることを示すダミー信号とが、第二制御器に対して入力される。これらのダミー信号を受け取ると、第二制御器は、動作器（照明器）を動作させる。電力系統が正常に電力を供給しているので、蓄電装置は、動作器に電力の供給をしない。電源器２０２ａから動作器に対して電力が供給される。少なくとも第一検査器を用いて、蓄電装置による電力供給動作、照明器の動作を確認する。場合によっては、第二検査器を用いて照明器の動作を確認してもよい。
【０１２４】
次に、電気機器における動作確認試験の処理について、図２１に示すフローチャートを用いて説明する。
第一制御器２０３ｂは、要求信号を受信した否かを判断する（ステップＳ３０１）。要求信号を受信していない場合（ステップＳ３０１で「Ｎｏ」）、第一制御器２０３ｂは、ステップＳ３０１に戻って、処理を繰り返す。
【０１２５】
要求信号を受信している場合（ステップＳ３０１で「Ｙｅｓ」）、電力系統が正常に電力を供給していることを示すダミー信号と照度が、昼間レベルであることを示すダミー信号が第二制御器に入力される（ステップＳ３０２）。このとき、第二制御器は、照明器を動作させない。
第一検査器及び第二検査器の少なくとも一方により、照明器がＯＦＦであり、かつ、蓄電池が放電していないかを確認する（ステップＳ３０３）。照明器がＯＮ、又は、蓄電池が放電している場合（ステップＳ３０３で「Ｎｏ」）、第一制御器は、エラーコードに「１」を設定する（ステップＳ３０４）。次に、動作確認試験の処理を終了する。
【０１２６】
照明器がＯＦＦであり、かつ、蓄電池が放電していない場合（ステップＳ３０３で「Ｙｅｓ」）、電力系統が停電していることを示すダミー信号と照度が、昼間レベルであることを示すダミー信号が第二制御器に入力される（ステップＳ３０５）。このとき、第二制御器は、照明器を動作させない。
第一検査器及び第二検査器の少なくとも一方により、照明器がＯＦＦであり、かつ、蓄電池が放電していないかを確認する（ステップＳ３０６）。照明器がＯＮ、又は、蓄電池が放電している場合（ステップＳ３０６で「Ｎｏ」）、第一制御器は、エラーコードに「２」を設定する（ステップＳ３０７）。次に、動作確認試験の処理を終了する。
【０１２７】
照明器がＯＦＦであり、かつ、蓄電池が放電していない場合（ステップＳ３０６で「Ｙｅｓ」）、電力系統が復電したことを示すダミー信号と照度が、昼間レベルであることを示すダミー信号が第二制御器に入力される（ステップＳ３０８）。このとき、第二制御器は、照明器を動作させない。
第一検査器及び第二検査器の少なくとも一方により、照明器がＯＦＦであり、かつ、蓄電池が放電していないかを確認する（ステップＳ３０９）。照明器がＯＮ、又は、蓄電池が放電している場合（ステップＳ３０９で「Ｎｏ」）、第一制御器は、エラーコードに「３」を設定する（ステップＳ３１０）。次に、動作確認試験の処理を終了する。
【０１２８】
照明器がＯＦＦであり、かつ、蓄電池が放電していない場合（ステップＳ３０９で「Ｙｅｓ」）、電力系統が正常であることを示すダミー信号と照度が、夜間レベルであることを示すダミー信号が第二制御器に入力される（ステップＳ３１１）。このとき、第二制御器は、照明器を動作させる。
少なくとも第一検査器により、照明器がＯＮであり、かつ、蓄電池が放電していないかを確認する（ステップＳ３１２）。照明器がＯＦＦ、又は、蓄電池が放電している場合（ステップＳ３１２で「Ｎｏ」）、第一制御器は、エラーコードに「４」を設定する（ステップＳ３１３）。次に、動作確認試験の処理を終了する。
【０１２９】
照明器がＯＮであり、かつ、蓄電池が放電していない場合（ステップＳ３１２で「Ｙｅｓ」）、電力系統が停電であることを示すダミー信号と照度が、夜間レベルであることを示すダミー信号とが第二制御器に入力される（ステップＳ３１４）。このとき、第二制御器は、照明器を動作させる。
少なくとも第一検査器により、照明器がＯＮであり、かつ、蓄電池が放電しているかを確認する（ステップＳ３１５）。照明器がＯＦＦ、又は、蓄電池が放電していない場合（ステップＳ３１５で「Ｎｏ」）、第一制御器は、エラーコードに「５」を設定する（ステップＳ３１６）。次に、動作確認試験の処理を終了する。
【０１３０】
照明器がＯＮであり、かつ、蓄電池が放電している場合（ステップＳ３１５で「Ｙｅｓ」）、電力系統が復電したことを示すダミー信号と照度が、夜間レベルであることを示すダミー信号とが第二制御器に入力される（ステップＳ３１７）。このとき、第二制御器は、照明器を動作させる。
少なくとも第一検査器により、照明器がＯＮであり、かつ、蓄電池が放電していないかを確認する（ステップＳ３１８）。照明器がＯＦＦ、又は、蓄電池が放電している場合（ステップＳ３１８で「Ｎｏ」）、第一制御器は、エラーコードに「６」を設定する（ステップＳ３１９）。次に、動作確認試験の処理を終了する。
【０１３１】
照明器がＯＮであり、かつ、蓄電池が放電していない場合（ステップＳ３１８で「Ｙｅｓ」）、第一制御器は、エラーコードに「０」を設定する（ステップＳ３２０）。次に、動作確認試験の処理を終了する。
ここで、エラーコードに「０」が設定される場合、正常である。一方、エラーコードに「１」、「２」、「３」、「４」、「５」又は「６」が設定される場合、正常でない。
【０１３２】
（その他の変形例）
なお、本開示を上記の実施の形態及び上記の変形例に基づいて説明してきたが、本開示は、上記の実施の形態及び上記の変形例には、限定されない。以下のようにしてもよい。
（１）上記の変形例２〜４において、蓄電装置による電気機器に対する電力供給が正常であるか否かの判断を、蓄電装置が備える第一検査器により行っている。しかし、これには、限定されない。
【０１３３】
電気機器は、第二検査器を備え、蓄電装置から電気機器の第二制御器に対して、電力が供給されるとき、第二検査器は、蓄電装置から電気機器に対する電力供給が正常であるか否かを判断してもよい。この場合、第二検査器は、検査結果を、第二制御器、第三通信器、第二通信器を介して、第一制御器に送信する。
（２）上記の実施形態及び変形例では、蓄電装置による電力供給動作の状態だけでなく、電気機器の動作の状態を検査し、これを応答情報に含む形態について説明したが、本形態に限定されるものではない。応答情報は、蓄電装置による電力供給動作が正常か否かに関する情報及び電気機器の動作が正常か否かに関する情報の少なくとも一つを含んでいればよい。具体的には、応答情報は、蓄電装置による電力供給動作が正常か否かに関する情報を含み、電気機器の動作が正常か否かに関する情報を含まない形態であっても構わない。このとき、電気機器の動作の状態の検査の有無は任意である。要求信号には、蓄電装置による電力供給動作が正常か否かに関する情報を要求する要求信号が含まれるが、電気機器の動作の状態に関する情報を要求する要求信号は含まれない。また、応答情報は、電気機器の動作が正常か否かに関する情報を含み、蓄電装置による電力供給動作が正常か否かに関する情報を含まない形態であっても構わない。このとき、電気機器の動作の検査だけでなく、蓄電装置による電力供給動作の検査が実行される。要求信号には、電気機器の動作の状態に関する情報を要求する要求信号は含まれるが、蓄電装置による電力供給動作が正常か否かに関する情報を要求する要求信号は含まれない。なお、要求信号は、上記の実施形態、変形例及び本例から明らかなように、蓄電装置による電力供給動作が正常か否かに関する情報及び電気機器の動作が正常か否かに関する情報の少なくとも一つを要求する要求信号であればよい。
【０１３４】
（３）上記の実施形態及び変形例では、蓄電装置が下流の蓄電装置からの応答情報（装置応答情報）を追加して、応答情報を生成し、要求信号の送信先に送信する形態について説明したが、自身の動作状態に関する情報を含む応答情報には、下流の蓄電装置の応答情報（装置応答情報）を追加しない形態であってもよい。このとき、自身の動作状態を含む応答情報は、そのまま要求信号の送信先に送信され、下流の蓄電装置の応答情報は、そのまま、要求信号の送信先に送信（転送）される。なお、ここで、上記自身の動作状態に関する情報とは、蓄電装置自身による電力供給動作が正常か否かに関する情報及び蓄電装置が搭載された電気機器の動作が正常か否かに関する情報の少なくとも一つを含む。
【０１３５】
（４）上記の実施形態及び変形例では、電気機器が、誘導灯、街路灯である場合について記載したが、例示に過ぎない。電気機器は、蓄電装置から供給される電力を用いて動作する電気機器であれば、いずれの電気機器であってもよい。例えば、電気機器は、電動自転車、電動車椅子、電気自動車等の電動移動体であってもよい。このとき動作器は、モータである。ここで、電気機器が第二検査器を備える場合、第二検査器は、電流センサ、電圧センサでなく、動作器の出力を検知するセンサであってもよい。動作器の出力を検知するセンサとしては、モータの回転数センサが例示される。
【０１３６】
また、電気機器は、蓄電装置から供給される電力を用いて動作する医療機器であってもよい。このとき、動作器は、医療機器により異なるが、例えば、モータ、ポンプ等が例示される。ここで、電気機器が第二検査器を備える場合、第二検査器は、電流センサ、電圧センサでなく、動作器の出力を検知するセンサであってもよい。動作器の出力を検知するセンサとしては、モータの回転数センサ、ポンプから出力される流体の流量センサ等が例示される。
【０１３７】
（５）上記の実施形態及び変形例では、外部の通信機器から、蓄電装置による電気機器に対する電力供給動作が正常か否かに関する情報を要求する要求信号を受信すると、蓄電装置による電力供給動作の状態に関する情報及び電気機器の動作の状態に関する情報を含む応答情報を送信元に送信する形態について説明した。しかしながら、本形態に限定されるものではない。具体的には、外部の通信機器から、電気機器の蓄電装置から供給される電力を用いた動作が正常か否かに関する情報を要求する要求信号を受信すると、第１通信器を介して電気機器の蓄電装置から供給される電力を用いた動作が正常か否かに関する情報を含む応答情報を要求信号の送信元に送信する形態であってもよい。このとき、第１通信器を介して上記要求信号は、他の蓄電装置に送信される。また、上記実施形態及び変形例と同様に、第１制御器が、蓄電装置に設けられた検査器及び電気機器に設けられた検査器に、電気機器の蓄電装置から供給される電力を用いた動作が正常か否かを検査させる。第１制御器は、この検査器の検査結果に基づき前記電気機器の前記蓄電装置から供給される電力を用いた動作が正常か否かに関する情報を含む応答情報を生成する。
【０１３８】
なお、上記要求信号の受信に伴い、蓄電装置による電気機器への電力供給の状態に関する情報を応答情報に付加するか否かは任意である。
なお、上述の本開示の技術は、複数の電気機器が、蓄電装置の近距離無線通信器の通信範囲内に配置されているときに、有用である。
（６）本開示の第１形態は、電気機器に搭載され、蓄電池を備える蓄電装置であって、外部の通信機器と近距離無線通信により通信する第１通信器と、前記第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信すると、前記第１通信器に、前記第１情報及び前記第２情報の少なくとも一つを含む応答情報を前記要求信号の送信元に送信させ、前記要求信号を他の蓄電装置に対して送信させる制御器とを備える、蓄電装置を提供する。
【０１３９】
本開示の第２形態は、上記第１形態において、前記蓄電装置による前記電気機器に対する電力供給動作が正常か否かを検査する検査器を備え、前記制御器は、前記第１情報を要求する要求信号を受信すると、前記検査器に前記電力供給動作が正常か否かを検査させ、前記検査器による検査の結果を用いて、前記第１情報を含む応答情報を生成してもよい、蓄電装置を提供する。
【０１４０】
本開示の第３形態は、上記第１形態又は第２形態において、前記制御器は、前記第２情報を要求する要求信号を受信すると、前記蓄電装置に設けられた検査器及び前記電気機器に設けられた検査器の少なくとも一つに前記蓄電装置から供給される電力を用いた前記電気機器の動作が正常か否かを検査させ、前記検査器による検査の結果を用いて、前記第１情報を含む応答情報を生成してもよい、蓄電装置を提供する。
【０１４１】
本開示の第４形態は、上記第１形態−第３形態のいずれか一つにおいて、前記第１通信器が前記他の蓄電装置から前記要求信号に基づいた当該他の蓄電装置の応答情報を受信すると、前記制御器は、さらに、前記第１通信器に前記他の蓄電装置の応答情報を前記要求信号の送信元に送信させるとしてもよい、蓄電装置を提供する。
本開示の第５形態は、上記第１形態−第３形態のいずれか一つにおいて、前記第１通信器が前記他の蓄電装置から前記要求信号に基づいた前記他の蓄電装置の応答情報を受信すると、前記制御器は、前記他の蓄電装置の応答情報に含まれ、当該他の蓄電装置の前記第１情報及び前記第２情報の少なくとも一つを、自身の前記応答情報に付加してもよい、蓄電装置を提供する。
【０１４２】
ここで、他の蓄電装置の第１情報及び第２情報とは、他の蓄電装置による電気機器に対する電力供給動作が正常か否かに関する第１情報及び他の蓄電装置から供給される電力を用いた電気機器の動作が正常か否かに関する第２情報を意味する。
本開示の第６形態は、上記第１形態から第５形態のいずれか一つにおいて、前記外部の通信機器は、情報端末を含むとしてもよい、蓄電装置を提供する。
【０１４３】
本開示の第７形態は、上記第１形態から第５形態のいずれか一つにおいて、前記外部の通信機器は、前記要求信号の送信方向において、上流側に配置された他の蓄電装置を含むとしてもよい、蓄電装置を提供する。
本開示の第８形態は、上記第１形態から第７形態のいずれか一つにおいて、前記電気機器と通信する第２通信器を備え、前記第１通信器が前記外部の通信機器から、前記第１情報を要求する前記要求信号を受信すると、前記制御器は、前記第２通信器を介して前記電気機器に対して、前記第２情報を要求する要求信号を出力してもよい、蓄電装置を提供する。
【０１４４】
本開示の第９形態は、上記第８形態において、前記制御器は、前記第２通信器を介して受信した、前記第２情報を前記応答情報に付加してもよい、蓄電装置を提供する。
本開示の第１０形態は、上記第１形態、第３形態から第９形態のいずれか一つにおいて、前記電気機器と通信する第２通信器を備え、前記制御器は、前記第１通信器が前記外部の通信機器から、前記第１情報を要求する前記要求信号を受信すると、さらに、前記第２通信器を介して前記電気機器に対して、前記電力供給動作が正常か否かを検査させる指示を送信し、前記電気機器における前記検査の結果を用いて生成した前記第１情報を、自身の前記応答情報に付加してもよい、蓄電装置を提供する。
【０１４５】
また、本開示の第１１形態は、電気機器に搭載され、蓄電池を備える蓄電装置の制御方法であって、前記蓄電装置に設けられ、外部の通信機器と近距離無線通信により通信する第１通信器が前記外部の通信機器から、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を受信するステップと、前記第１通信器に、前記第１情報及び前記第２情報の少なくとも一つを含む応答情報を前記要求信号の送信元に送信させ、前記要求信号を他の蓄電装置に対して送信させるステップと、を備える蓄電装置の制御方法を提供する。
【０１４６】
また、本開示の別の第１２形態は、蓄電装置と通信可能な前記外部の通信機器である情報端末の制御方法であって、前記蓄電装置に対して、当該蓄電装置による前記電気機器に対する電力供給動作が正常か否かに関する第１情報及び前記蓄電装置から供給される電力を用いた前記電気機器の動作が正常か否かに関する第２情報の少なくとも一つを要求する要求信号を送信させるステップ（ａ）と、前記要求信号に応じて前記蓄電装置によって送信される、前記第１情報及び第２情報の少なくとも１つを含む応答情報を取得させるステップ（ｂ）と、前記取得した応答情報に含まれる前記蓄電装置の電力供給動作が正常か否かに関する情報を前記情報端末の表示画面に表示させるステップ（ｃ）とを含む、制御方法を提供する。
【０１４７】
本開示の第１３形態は、上記第１２形態において、前記応答情報は、複数の蓄電装置の前記第１情報及び第２情報の少なくとも一つを含んでおり、前記ステップ（ｃ）において、前記複数の蓄電装置の前記第１情報及び前記第２情報の少なくとも一つを前記情報端末の表示画面に一覧表示させるとしてもよい、制御方法を提供する。
ここで、複数の蓄電装置の第１情報及び第２情報とは、複数の蓄電装置の夫々についての、蓄電装置による電気機器に対する電力供給動作が正常か否かに関する第１情報及び蓄電装置から供給される電力を用いた電気機器の動作が正常か否かに関する第２情報を意味する。
【０１４８】
（７）上述したように、各装置は、マイクロプロセッサとメモリとを備えたコンピュータシステムである。メモリは、コンピュータプログラムを記憶しており、マイクロプロセッサは、コンピュータプログラムに従って動作するとしてもよい。ここで、コンピュータプログラムは、所定の機能を達成するために、コンピュータに対する指令を示す命令コードが複数個組み合わされて構成されたものである。
【０１４９】
また、コンピュータプログラムは、コンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ブルーレィディスク、半導体メモリなどに記録されているとしてもよい。
また、コンピュータプログラムを、電気通信回線、無線又は有線通信回線、インターネットを代表とするネットワーク、データ放送等を経由して伝送するとしてもよい。
【０１５０】
また、コンピュータプログラムを前記記録媒体に記録して移送することにより、又はコンピュータプログラムをネットワーク等を経由して移送することにより、独立した他のコンピュータシステムにより実行するとしてもよい。
（８）上記実施の形態及び上記変形例をそれぞれ組み合わせるとしてもよい。
【産業上の利用可能性】
【０１５１】
本開示の蓄電装置は、電気機器に搭載されている当該蓄電装置から電気機器に対する電力供給の状態を確認することできる。このため、本開示は、当該蓄電装置から前記電気機器に対する電力供給の状態を利用者に通知する技術として有用である。
【符号の説明】
【０１５２】
１０、２０、２０ａ〜２０ｅ    点検システム
１００、１００ａ〜１００ｄ    誘導灯
１０３    動作器
１０４    外装板
１０５    カバー部材
１０６    載置台
２００、２００ａ〜２００ｄ、２００ｈ〜２００    蓄電装置
２０１    蓄電池
２０２    太陽電池
２０２ａ  電源器
２０２ｂ  プラグ
２０３、２０３ａ、２０３ｂ    第一制御器
２０４    第一検査器
２０５    第一通信器
２０６    第二通信器
３００    情報端末
３０１    携帯通信器
３０２    近距離無線通信器
３０３    制御器
３０４    情報記憶器
３０５    音声制御器
３０６    入出力制御器
３０７    スピーカ
３０８    マイク
３０９    タッチパネル
３１０    ボタン入力器
４００    サーバ装置
５００、５００ａ〜５００ｄ、５００ｈ〜５００ｋ    街路灯
５０１    動作器
５０２、５０２ｂ    第二制御器
５０３    第三通信器
５０４    第二検査器
【図１】
0006628138.tif 000002
【図２】
0006628138.tif 000003
【図３】
0006628138.tif 000004
【図４】
0006628138.tif 000005
【図５】
0006628138.tif 000006
【図６】
0006628138.tif 000007
【図７】
0006628138.tif 000008
【図８】
0006628138.tif 000009
【図９】
0006628138.tif 000010
【図１０】
0006628138.tif 000011
【図１１】
0006628138.tif 000012
【図１２】
0006628138.tif 000013
【図１３】
0006628138.tif 000014
【図１４】
0006628138.tif 000015
【図１５】
0006628138.tif 000016
【図１６】
0006628138.tif 000017
【図１７】
0006628138.tif 000018
【図１８】
0006628138.tif 000019
【図１９】
0006628138.tif 000020
【図２０】
0006628138.tif 000021
【図２１】
0006628138.tif 000022
【図２２】
0006628138.tif 000023